(57)【要約】      （修正有）【課題】試合用竹刀よりも若干重く、室内など小スペースで効率的に素振りや相手を想定したしかけ技、応じ技の稽古ができる剣道練習用の素振り棒を提供する。【解決手段】剣道練習用の素振り棒１ａは、後端に握り部６が形成され、先端に軸方向に沿って穴が穿設され、この穴の少なくとも入口部内周面にネジ溝部を設けた木製棒体２ａと、ネジ溝部に螺合する重さ調整用のボルト４と、を備えており、穴はネジ溝部の長さよりも長く形成されている。使用する重さ調整用のボルト４の長さを変えることにより、剣道練習用の素振り棒１ａの重さを調整することができる。【選択図】図１
0003163146.tif 000002
【実用新案登録請求の範囲】
【請求項１】
後端に握り部が形成され、先端面から軸方向に沿って穴が穿設され、この穴の少なくとも入口部内周面にネジ溝部を設けた木製棒体と、
該ネジ溝部に螺合する重さ調整用のボルトと、
を備えており、前記穴は前記ネジ溝部の長さよりも長く形成されていることを特徴とする剣道練習用の素振り棒。
【請求項２】
前記穴が、前記棒体先端の開口径を形成する大径穴と、該大径穴よりも口径が小さく前記ボルトが挿入される小径穴との２段からなり、
前記大径穴に前記ネジ溝部が設けられている請求項１に記載の剣道練習用の素振り棒。
【請求項３】
前記小径穴内に錘を収容した請求項２に記載の剣道練習用の素振り棒。
【請求項４】
前記握り部が、左手で握る第１の握り部と、左手を右手よりも先端側に離して握る第２の握り部とを備え、
前記木製棒体の軸方向に垂直な前記握り部の断面形状が、握り部全長にわたって八角形状であり、かつ前記第１の握り部および第２の握り部が前記木製棒体の全周にわたって凹設されている請求項１から３のいずれかに記載の剣道練習用の素振り棒。
【考案の詳細な説明】
【技術分野】
【０００１】
本発明は、先端部の重さ調整可能な剣道練習用の素振り棒に関する。
【背景技術】
【０００２】
剣道における素振りとは、初心者から熟練者までのすべての段階で行なわれている稽古法の一つで、竹刀、木刀などを用いて行なわれる。
素振りは、振り上げや振り下ろしの太刀筋の習得、打突に必要な手の内（握り方や打ち込む瞬間の手の握り具合）の習得、足さばきと関連させた打突の基礎の習得を目的とし、上下振り、斜め振り、空間打突、跳躍素振り、左右面返し胴素振り、股割素振り、上下跳躍左右踏み替え素振りなどの動作で行なわれ、相手を想定した連続技（二・三段の技）などのしかけ技や相手の攻めを想定した小手すり上げ面などの応じ技の竹刀操作の稽古としても行なわれる。
試合用竹刀（１刀、男性用）は、大学・一般用で最長１２０ｃｍ、重さ５１０ｇ以上であり、高校生用で最長１１７ｃｍ、重さ４８０ｇ以上であり、中学生用で最長１１４ｃｍ、重さ４４０ｇ以上（以上、剣道試合審判細則第２条）であり、小学生用では一般に最長１１１ｃｍ、重さ３７０ｇ以上である。
このような、竹刀を一般の家屋やマンションの室内などで素振りをすると、天井などに当たって天井などを傷付けてしまうおそれがあり、充分な素振り稽古ができないおそれがあった。また、市販されている木刀などはコバン形で太く、竹刀に持ち替えたときに違和感があり、素振り稽古の成果を試合にいかせないことにもなりかねなかった。
【先行技術文献】
【非特許文献】
【０００３】
【非特許文献１】「剣道を知る事典」、東京堂出版、２００９年
【考案の概要】
【考案が解決しようとする課題】
【０００４】
そこで、本発明の課題は、試合用竹刀よりも若干重く、室内など小スペースでも効率的に素振りや、相手を想定したしかけ技や応じ技の稽古ができる剣道練習用の素振り棒を提供することにある。
【課題を解決するための手段】
【０００５】
本考案者らは、上記課題を解決すべく鋭意検討を重ねた。その結果、後端に握り部が形成され、先端に軸方向に沿って穴が穿設され、この穴の少なくとも入口部内周面にネジ溝部を設けた木製棒体と、該ネジ溝部に螺合する重さ調整用ボルトと、を備えており、前記穴は前記ネジ溝部の長さよりも長く形成されている剣道練習用の素振り棒とすることで、上記課題を解決することを見出し、本考案を完成するに至った。
【０００６】
すなわち、本発明は、以下の構成からなる。
（１）後端に握り部が形成され、先端面から軸方向に沿って穴が穿設され、この穴の少なくとも入口部内周面にネジ溝部を設けた木製棒体と、該ネジ溝部に螺合する重さ調整用のボルトと、を備えており、前記穴は前記ネジ溝部の長さよりも長く形成されていることを特徴とする剣道練習用の素振り棒。
（２）前記穴が、前記棒体先端の開口径を形成する大径穴と、該大径穴よりも口径が小さく前記ボルトが挿入される小径穴との２段からなり、前記大径穴に前記ネジ溝部が設けられている前記（１）に記載の剣道練習用の素振り棒。
（３）前記小径穴内に錘を収容した前記（２）に記載の剣道練習用の素振り棒。
（４）前記握り部が、左手で握る第１の握り部と、右手を左手よりも先端側に離して握る第２の握り部とを備え、前記木製棒体の軸方向に垂直な前記握り部の断面形状が、握り部全長にわたって八角形状であり、かつ前記第１の握り部および第２の握り部が前記木製棒体の全周にわたって凹設されている前記（１）から（３）のいずれかに記載の剣道練習用の素振り棒。
【考案の効果】
【０００７】
本発明によれば、試合用竹刀よりも若干重く、室内など小スペースでも効率的に素振りや、相手を想定したしかけ技や応じ技の稽古ができ、重さ調整用ボルトを装着した素振り棒で稽古することで、先重となるため、剣先が走り、手の内がきまりやすくなる。さらに、稽古時の体調や熟練度に合わせて、長さの異なるボルトに交換するなどして、先端部の重さを自由に調整できるので、無理なく竹刀操作の鍛錬ができる。また、右手の握り位置によっては、竹刀または木刀に似た感触で稽古をすることができる。
上記（２）に示す穴の構成とすることで、重さ調整用のボルトの螺合を緩みにくくすることができる。
上記（３）に示すように、小径穴に錘を収容することにより、重さ調整を行なうことができる。
上記（４）に示す握り部とすることで、素振り稽古の際に握りを外れにくくすることができる。
【図面の簡単な説明】
【０００８】
【図１】本考案の一実施形態に係る剣道練習用の素振り棒を示す斜視図である。
【図２】（ａ）は、本考案の一実施形態に係る剣道練習用の素振り棒の握り部を示す側面図であり、（ｂ）は、該素振り棒の後端面を示す背面図であり、（ｃ）は、第１の握り部の断面図である。
【図３】本考案の一実施形態における木製棒体に木材用ジョイントナットを穿設させる概略説明図である。
【図４】（ａ）は、本考案の一実施形態における素振り棒の先端面を示す正面図であり、（ｂ）は、該素振り棒の先端部の一部切欠側面図である。
【図５】本考案の他の実施形態における素振り棒の先端部の一部切欠側面図である。
【考案を実施するための形態】
【０００９】
以下、本考案の剣道練習用の素振り棒の一実施形態について、図面を参照して詳細に説明する。
【００１０】
＜剣道練習用の素振り棒１ａ＞
図１は、本考案の一実施形態に係る剣道練習用の素振り棒１ａ（以下、単に素振り棒１ａという場合がある。）を示す斜視図である。図２（ａ）は、素振り棒１ａの握り部６を示す側面図であり、図２（ｂ）は、素振り棒１ａの後端面を示す背面図であり、（ｃ）は、第１の握り部６ａの断面図である。図３は、素振り棒１ａにおける木製棒体２ａ（以下、棒体２ａという場合がある。）にネジ溝部として木材用ジョイントナット３（以下、ナット３という場合がある。）を穿設させる概略説明図である。図４（ａ）は、素振り棒１ａの先端面を示す正面図であり、図４（ｂ）は、素振り棒１ａの先端部の一部切欠側面図である。
【００１１】
本考案の素振り棒１ａは、後端に握り部６が形成され、先端に軸方向に沿って口径の異なる穴５が穿設された棒体２ａと、穴５に装着されたナット３と、該ナット３に螺合する重さ調整用ボルト４（以下、ボルト４という場合がある。）と、を備えており、穴５はナット３の長さよりも長く形成されたものである。
【００１２】
（棒体２ａ）
棒体２ａの材質は、特に限定されず、例えば、タモ、樫、檀、椿、檜、すぬけ、枇杷、杉、松などの無垢材や集成材などが挙げられ、なかでも、比重の高い木材、例えばタモなどが素振り用に適しているといえるが、比重の軽い木材を使用する場合でも、ボルト４の重りを調整することで使用可能である。
【００１３】
棒体２ａの全長は、７００〜１０００ｍｍの範囲内であり、全長が１０００ｍｍよりも長いと、室内で上下素振りなどをする際に、天井などにあたってしまい、天井などを傷つけてしまうおそれがあり、全長が７００ｍｍよりも短いと、充分な重量を確保できず、素振り、しかけ技や応じ技の稽古の成果が試合にいかせないおそれがある。
また、握り部６は、大人用として棒体２ａの後端から２５０ｍｍ、小学生用として棒体２ａの後端から２３０ｍｍである。
棒体２ａの全長および重量は、用いる材質によって適宜調整すればよいが、たとえば、材質をタモの集成材とした場合は、大人用として全長８９０ｍｍ、重量約５４０ｇ、小学生用として全長７９０ｍｍ、重量約４５０ｇとするのが好ましい。
【００１４】
棒体２ａの断面形状としては、特に限定されず、例えば、丸形；平角形；三角形、四角形、五角形などの多角形；などが挙げられる。なかでも、握り部６以外の棒体２ａの断面形状は、丸形であるのが好ましい。
特に、握り部６以外の棒体２ａの断面形状が丸形である場合には、棒体２ａの握り部６以外の直径は３２〜３５ｍｍΦの範囲内であれば、棒体２ａの任意の位置によって直径が異なっていてもよく、例えば、先端部に向かって径が大きくなるようにしてもよい。棒体２ａの握り部６以外の直径が上記範囲内であれば、竹刀に持ち替えても違和感なく、素振りや相手を想定したしかけ技、応じ技の稽古の成果を実際の試合にいかすことができる。ちなみに、中学生の試合用竹刀（１刀用）の最小の太さは２５ｍｍ（剣道試合審判細則第２条）、高校生・大学・一般用の試合用竹刀（１刀用）の最小の太さは２６ｍｍ（剣道試合審判細則第２条）であるので、各々の年齢に適した太さにするのが好ましい。
握り部６の形状は、握った際に手に馴染み、汗をかいても滑りにくい観点から、断面形状が多角形であるのが好ましく、特に図２（ｂ）に示す八角形であるのが好ましく、その角部８は、握ったときにマイルド感をだす観点から、丸みを帯びているのが好ましい。
さらに滑りにくくするために、握り部６は、左手で握る第１の握り部６ａと、右手を左手よりも先端側に離して（一般的には、ひと握り半からひと握り程度離して）握る第２の握り部６ｂとを備え、棒体２ａの軸方向に垂直な握り部６の断面形状が、握り部６全長にわたって八角形状であり、かつ第１の握り部６ａおよび第２の握り部６ｂが棒体２ａの全周にわたって凹設されているのが好ましく、具体的には、図２（ａ）に示すように、第１の握り部６ａおよび第２の握り部６ｂは、他の部位より棒体２ａの径ｄa、ｄbが小さく、第１の握り部６ａから柄頭７にかけて径がなだらかに大きくなり、握り部６を側面から見たときに曲面上のなだらかな凹凸形状となるように形成されるのがよい。凹部となる第１の握り部６ａの径ｄaは、図２（ｃ）に示すように、互いに平行である対辺の距離ｄaminが２８〜２９ｍｍΦであり、第２の握り部６ｂの径ｄbも同様である。さらに、凹部となる第１の握り部６ａおよび第２の握り部６ｂの曲率半径はＲ１０００〜Ｒ２０００であるのがよい。また、第２の握り部６ｂの径ｄbが最も小さいあたりを右手で握れば、木刀に似た感触で稽古ができ、それよりも気持ち一握り先端面側を右手で握れば、竹刀に似た感触で稽古をすることができる。
また、さらに滑り止めを向上させる観点から、握り部６にスポーツ用テーピングなどを巻き付けてもよい。
さらに、棒体２ａの先端および後端の端面は、Ｃ面やＲ面などに面取りされていてもよく、例えば、図２（ａ）に示すように、棒体２ａの後端の柄頭７にＲ面取りを施してもよい。
【００１５】
棒体２ａの先端に軸方向に沿って形成された穴５のうち、大径穴５ａの口径は、図３に示すように、後述するナット３が装着できる範囲であれば特に限定されず、小径穴５ｂの口径は、後述するボルト４の呼び径よりも大きければ特に限定されないが、小径穴５ｂの口径がボルト４の呼び径よりも過度に大きいと、素振りの際に、ボルト４がぐらつき、螺合が緩んでしまうおそれがあるため、できる限りボルト４の呼び径に近いのが好ましい。
棒体２ａの大径穴５ａの軸方向に沿った長さは、後述するナット３を確実に装着できる範囲であれば特に限定されないが、ナット３を装着するために必要な最小の長さであるのが好ましい。小径穴５ｂの軸方向に沿った長さは、特に限定されないが、例えば、棒体２ａの全長が８９０ｍｍである場合には、穴５の軸方向に沿った長さが１１０ｍｍ以上となる長さであるのが好ましい。
なお、素振り棒１ａでは、素振り棒１ａの先端に軸方向に沿った穴が大径穴５ａおよび小径穴５ｂの２段に穿設された場合について説明したが、１段または３段以上の複数の口径からなる穴に穿設されていてもよいが、少なくとも最も先端側の口径の穴にナット３が設けられる。
【００１６】
（木材用ジョイントナット３）
ナット３は、木材用のナットなど市販のものを用いることができ、形状、サイズなどは大径穴５ａに装着できれば特に限定されないが、例えば、サイズはネジの呼び径（ネジの軸の直径）が８〜１０ｍｍΦで、長さＬ（図３参照）が２０〜１００ｍｍを用いることができ、形状は、装着の際にナット３を過度に捻じ込まない観点からツバ３ａを有するが好ましく、さらに大径穴５ａに捻じ込む際に抵抗が少なく棒体２ａの割れを防ぎ無理なく真っすぐねじ込める観点から、ナット３の外周がテーパーねじ３ｂであるのが好ましい。
ナット３を棒体２ａの大径穴５ａに装着する方法は、ナット３の外周の形状に適した方法で行なえばよく、例えば、図３に示すようにナット３の外周がテーパーねじ３ｂである場合には、大径穴５ａに捻じ込む方法、ナット３の外周がノコ歯型鬼目突起である場合には、大径穴５ａに沿って打ち込む方法などの方法が挙げられる。
ナット３を棒体２ａの大径穴５ａに装着する際に、装着力をより高める観点から、例えば、市販されている接着剤などを用いることもできる。
【００１７】
（ボルト４）
ボルト４は、上述したナット３に螺合する呼び径であれば形状やサイズなどは特に限定されず、形状は、例えば、六角ボルト、六角穴付ボルト、六角穴付ボタンボルト、蝶ボルト、アイボルト、長ねじボルトなどの形状を用いることができ、サイズは、例えば、呼び長さ（ネジの頭が皿タイプのネジや頭の無いタイプ（寸切りボルト等）のネジは全長の長さ、その他のタイプのネジは全長からネジの頭部分の長さを引いた部分を示す首下の長さ）が１１０ｍｍ以下のネジを好適に用いることができ、具体的には、Ｍ１０のナット３を用いる場合、Ｍ１０×２０ｍｍ（２２ｇ）、Ｍ１０×４０ｍｍ（３２ｇ）、Ｍ１０×６０ｍｍ（４４ｇ）、Ｍ１０×８０ｍｍ（５６ｇ）、Ｍ１０×１００ｍｍ（６８ｇ）などを用いることができるが、これに限定されず、呼び長さが１１０ｍｍよりも長いボルトを用いても良い。なお、ネジのサイズのＡ×Ｂという標記において、Ａは呼び径（軸の直径）、Ｂは呼び長さを示して、括弧は六角穴付ボルトの重さを示している。
また、先端に先革のようなキャップでボルト４および／またはナット３を保護してもよい。
ボルト４をナット３に螺合する方法は、ボルト４の形状に適した方法で行なえばよく、例えば、六角ボルトである場合にはスパナなどを使って螺合する方法、六角穴付ボルトである場合には六角穴４ａ（図４参照）をその大きさに適した六角レンチなどを使って螺合する方法などが挙げられる。
【００１８】
なお、重さ調整のために、ボルト４に加えて、さらに錘を小径穴５ｂ内に収容してもよい。
【００１９】
錘６の材質は、金属製であれば、特に制限されない。
錘６の形状などは、上述した小径穴５ｂに収容できれば特に限定されない。
【００２０】
＜剣道練習用の素振り棒１ｂ＞
図５は、本考案の他の実施形態における素振り棒１ｂの先端部の一部切欠側面図である。
素振り棒１ｂは、ナット３の代わりに木製棒体２ｂの穴５内周面に直接ネジ溝部９を設ける他は、素振り棒１ａと同様である。
ネジ溝部９を穴５内周面に設ける方法は、例えば、目的とするネジ溝部９の大きさ、深さにドリルなどで下穴をあけて、タップを用いて設ける方法などが挙げられる。
なお、素振り棒１ｂでは、素振り棒１ｂの先端に軸方向に沿った口径の等しい穴５について説明したが、２段以上の複数の口径からなる穴に穿設されていてもよいが、少なくとも最も先端側の口径の穴内周面に直接ネジ溝部９が設けられる。
【００２１】
前述した素振り棒１ａ、１ｂを使用するにあたっては、稽古時の体調や稽古の目的に応じて、適当な重さのボルト４をナット３に螺合し、稽古をすればよく、例えば、重いと感じる重さのボルト４を装着して振り上げや振り下ろしなどして筋力を鍛える鍛錬だけでなく、適度な重さのボルト４を装着して相手を想定した一本打ちの技、連続技（二・三段の技）、払い技、出ばな技、捲き技、引き技などのしかけ技、抜き技、すり上げ技、返し技、打ち落とし技などの応じ技などの竹刀操作の鍛錬、ボルト４を装着せずに室内でテレビを見ながら座ってリラックスした状態で、片手で小手すり上げの動きの竹刀操作の鍛錬などすることができる。
【符号の説明】
【００２２】
１ａ、１ｂ    剣道練習用の素振り棒
２ａ、２ｂ    木製棒体
３            木材用ジョイントナット
３ａ          ツバ
３ｂ          テーパねじ
４            重さ調整用ボルト
４ａ          六角穴
５            穴
５ａ          大径穴
５ｂ          小径穴
６            握り部
６ａ          第１の握り部
６ｂ          第２の握り部
７            柄頭
８            角部
９            ネジ溝部
【図１】
0003163146.tif 000003
【図２】
0003163146.tif 000004
【図３】
0003163146.tif 000005
【図４】
0003163146.tif 000006
【図５】
0003163146.tif 000007